(57)【要約】【課題】収容空間の利用効率を上げ、ＳＡＴＡコネクタをしっかりと固定することができるガイド部付きコネクタの提供。【解決手段】本発明に係るガイド部付きコネクタ（３）は、ハウジング（３０）と、複数の導電端子（３２１）を有すると共に、相手コネクタと嵌合するようにハウジングに沿って斜めの下壁（３２３）を有するポート（３２２）を区画する接続インタフェース（３２）と、ハウジングの一側に配置された少なくとも１個のガイドポスト（３１）とを具備する。少なくとも１個のガイドポストは、相手コネクタがコネクタのポートに斜めに接続できるように傾斜ガイド部（３１１）を有する。【選択図】図３
2013222708.tif 000002
【特許請求の範囲】
【請求項１】
ハウジングと、
複数の導電端子を有すると共に、相手コネクタと嵌合するように前記ハウジングに沿って斜めの下壁を有するポートを区画する接続インタフェースと、
前記ハウジングの一側に配置された少なくとも１個のガイドポストと
を具備するガイド部付きコネクタであって、
前記少なくとも１個のガイドポストは、前記相手コネクタがガイド部付きコネクタの前記ポートに斜めに接続できるように傾斜ガイド部を有することを特徴とするガイド部付きコネクタ。
【請求項２】
前記斜めの下壁及び前記傾斜ガイド部は、同一角度で傾斜することを特徴とする請求項１記載のガイド部付きコネクタ。
【請求項３】
前記ガイドポストは、前記ハウジングの両側に対で配置されることを特徴とする請求項１記載のガイド部付きコネクタ。
【請求項４】
前記ガイドポストの前記傾斜ガイド部は、前記ハウジングに向かって異なる角度で傾斜することを特徴とする請求項３記載のガイド部付きコネクタ。
【請求項５】
前記接続インタフェースは、ＳＡＴＡ、ミニＳＡＴＡ、スリムラインＳＡＴＡ及びマイクロＳＡＴＡのうち少なくとも一つの規格に従うことを特徴とする請求項１記載のガイド部付きコネクタ。
【請求項６】
前記相手コネクタは、電子デバイス上に配置されることを特徴とする請求項１ないし５のうちいずれか１項記載のガイド部付きコネクタ。
【請求項７】
前記電子デバイスはハードディスクドライブであることを特徴とする請求項６記載のガイド部付きコネクタ。
【発明の詳細な説明】
【技術分野】
【０００１】
本発明は、コネクタに関し、特にガイド部付きコネクタに関する。
【背景技術】
【０００２】
一般的なディスクドライブ用のインタフェース規格であるＡＴＡ（Advanced Technology Attachment）は、コンピュータシステムに適用可能であり、主に内部記憶デバイス及び親基板間の通信インタフェースとして作用する。パラレルＡＴＡ（ＰＡＴＡ）及びシリアルＡＴＡ（ＳＡＴＡ）は、後に開発された２つのインタフェース規格である。ＰＡＴＡインタフェースは限定された伝送帯域幅を有するので、ＣＰＵがより高速の処理速度を有する場合には不十分になる。この結果、高速伝送効率及び多数の利点を特徴とするＳＡＴＡインタフェースが、徐々に従来のＰＡＴＡに置き換わっている。
【先行技術文献】
【特許文献】
【０００３】
【特許文献１】台湾実用新案第Ｍ３４６１４５号明細書
【特許文献２】台湾実用新案第Ｍ３５３５０９号明細書
【特許文献３】台湾実用新案第Ｍ３７６９７１号明細書
【特許文献４】台湾実用新案第Ｍ３８５１３１号明細書
【特許文献５】台湾実用新案第Ｍ２７８１１０号明細書
【特許文献６】台湾実用新案第Ｍ３１５４２１号明細書
【発明の概要】
【発明が解決しようとする課題】
【０００４】
図１は、従来のＳＡＴＡコネクタの典型的な構造を示す概略図である。この従来のＳＡＴＡコネクタのインタフェースについて、その一端は通常、ハードディスクドライブ１０上に配置されるのに対し、その他端は通常、印刷回路基板（ＰＣＢ）１１上に配置される。接続方法は主に、ハードディスクドライブ１０及びＰＣＢ１１を水平方向１２に嵌合させることにより完了する。このような嵌合方法は通常、移動の余裕をもってハードディスクドライブ１０を設け、収容の観点からハードディスクドライブ１０が他の部材１４と衝突しない固定寸法の収容空間１３を要する。しかし、追加の固定寸法の収容空間の配置は効率的ではない。また、この嵌合方法は、ユーザが力を与える方向にあまり沿っていないので、関連する部材を容易に挿入又は取外しすることができない。
【０００５】
図２（Ａ）及び（Ｂ）は、従来のＳＡＴＡコネクタの典型的な別の構造を示す概略図である。従来のＳＡＴＡコネクタのインタフェースに関し、その一端はハードディスクドライブ２０上に配置され、その他端はＰＣＢ２１上に配置される。このＳＡＴＡコネクタは、ハードディスクドライブ２０上に配置されたインタフェースの端部にアダプタ２０１が配置され、インタフェースの２端が垂直方向２２に嵌合するようにＰＣＢ２１上に配置されたインタフェースの他端が上方へ９０°回転する点で、前述のＳＡＴＡコネクタとは異なる。しかし、ＳＡＴＡの嵌合方法は、実際には望ましくない追加のアダプタ２０１を要する。
【０００６】
また、特許文献１ないし４は、コネクタのガイド部に関連した技術的特徴を開示する。特許文献５は、コネクタの位置決めポストに関連した技術的特徴を開示する。特許文献６は、コネクタの相補的トラックに関連した技術的特徴を開示する。しかし、前述の特徴は、実際には望ましくない。
【０００７】
従って、前述した従来技術の欠点を改善し、収容空間の利用効率を上げ、ＳＡＴＡコネクタをしっかりと固定することができるガイド部付きコネクタに対するニーズがある。
【課題を解決するための手段】
【０００８】
従来技術の前述した問題に鑑み、本発明は、収容空間を効率的に利用し且つＳＡＴＡコネクタを緊密に固定するように、ガイド部付きコネクタを提供することを目的とする。
【０００９】
本発明によれば、ガイド部付きコネクタは、ハウジングと、複数の導電端子を有すると共に、相手コネクタと嵌合するようにハウジングに沿って斜めの下壁を有するポートを区画する接続インタフェースと、ハウジングの一側に配置された少なくとも１個のガイドポストとを具備し、少なくとも１個のガイドポストは、相手コネクタがコネクタのポートに斜めに接続できるように傾斜ガイド部を有する。
【００１０】
好適には、斜めの下壁及び傾斜ガイド部は、同一角度で傾斜する。
【００１１】
好適には、ガイドポストは、ハウジングの両側に対で配置される。
【００１２】
好適には、ガイドポストの傾斜ガイド部は、ハウジングに向かって異なる角度で傾斜する。
【００１３】
接続インタフェースは、ＳＡＴＡ、ミニＳＡＴＡ、スリムラインＳＡＴＡ及びマイクロＳＡＴＡのうち少なくとも一つの規格に従い、相手コネクタは、ハードディスクドライブである電子デバイス上に配置されることが好ましい。
【００１４】
本発明の前述した態様及び他の態様は、以下の典型的な実施形態及び図面を参照するとよりよく理解されるであろう。
【図面の簡単な説明】
【００１５】
【図１】従来のＳＡＴＡコネクタの典型的な構造を示す概略図である。
【図２】従来のＳＡＴＡコネクタの別の典型的な構造を示す概略図である。
【図３】本発明の一実施形態に係るガイド部付きコネクタの構造を示す斜視図である。
【図４】本発明の一実施形態に係るガイド部付きコネクタの構造を示す断面図である。
【図５】本発明のガイド部付きコネクタ及び相手コネクタの嵌合を示す断面図である。
【図６】本発明のガイド部付きコネクタ及び相手コネクタの嵌合を別の方法で示す断面図である。
【図７】本発明の一実施形態に係るガイド部付きコネクタを有する電子デバイスの内部構造を示す概略図である。
【発明を実施するための形態】
【００１６】
本発明の技術的特徴、内容及び利点、並びにそれにより達成される効果の理解を容易にするために、好適実施形態及び添付図面により本発明を説明する。添付図面は概略説明に過ぎず、実施される発明の実際の縮尺及び正確な配置に従って示されていないかもしれないことを理解されたい。従って、本発明の保護範囲は、添付図面に示された配置や縮尺に基づいて解釈すべきでなく、またそれに限定すべきでない。
【００１７】
図３は、本発明の一実施形態に係るガイド部付きコネクタの構造を示す斜視図である。図３に示されるように、本発明のガイド部付きコネクタ３は、ハウジング３０、少なくとも１個のガイドポスト３１及び接続インタフェース３２を具備する。本発明の一実施形態に係るガイド部付きコネクタの構造を示す断面図である図４を参照されたい。図４に示されるように、接続インタフェース３２は、複数の導電端子３２１を有すると共に、相手コネクタ（図示せず）と嵌合するようにハウジング３０に沿って斜めの下壁３２３を有するポート３２２を区画する。
【００１８】
ガイドポスト３１は、コネクタ３のガイド部を有する各側に配置される。ガイドポスト３１は、傾斜ガイド部３１１をさらに具備する。斜めの下壁３２３及び傾斜ガイド部３１１は、本実施形態では同じ角度又は異なる角度で傾斜してもよいことは言及する価値がある。また、両側の傾斜ガイド部３１１は、同じ角度又は異なる角度で傾斜してもよい。当業者であれば、前述のモードは例示であり、本発明を限定することを意図したものではないことを理解されたい。
【００１９】
図５は、本発明のガイド部付きコネクタ及び相手コネクタの嵌合を示す断面図である。図５に示されるように、相手コネクタ５０は、ガイドポスト３１の傾斜ガイド部３１１による案内の下でガイド部付きコネクタ３と嵌合する。本実施形態において、接続インタフェース３２は、ＳＡＴＡ、ミニＳＡＴＡ、スリムラインＳＡＴＡ及びマイクロＳＡＴＡのうち少なくとも一つの規格に従うことが好ましい。
【００２０】
図６は、本発明のガイド部付きコネクタ及び相手コネクタの嵌合を別の方法で示す断面図である。図６（Ａ）及び（Ｂ）に示されるように、相手コネクタ５０は、ポート３２２の斜めの下壁３２３による案内の下でガイド部付きコネクタ３に斜めに挿入され、次に下方へ回転されてガイド部付きコネクタ３との嵌合が完了する。
【００２１】
図７は、本発明の一実施形態に係るガイド部付きコネクタを有する電子デバイスの内部構造を示す概略図である。図７（Ａ）及び（Ｂ）に示されるように、本発明の電子デバイス７は、主本体７０、ハードディスクドライブ７１、印刷回路基板７２、及び電子デバイス７内に配置される他の部材７３を具備する。ハードディスクドライブ７１は相手コネクタ５０を具備する。印刷回路基板７２は、本発明のガイド部付きコネクタ３を具備する。ガイド部付きコネクタ３については詳細に前述したので、さらに説明しない。しかし、電子デバイス７のハードディスクドライブ７１の一端に位置する相手コネクタ５０は、前述のポート３２２の斜めの下壁３２３及びガイドポスト３１による案内の下でガイド部付きコネクタ３に斜めに挿入され（図７（Ａ）参照）、次にハードディスクドライブ７１が下方へ回転移動し、印刷回路基板７２上のガイド部付きコネクタとの嵌合が完了する（図７（Ｂ）参照）。
【００２２】
この嵌合方法は、ユーザが力を与える方向と一致するので、関係する部材を容易に挿入又は取外しすることができる。また、この嵌合方法は、（従来のＳＡＴＡコネクタに要求される）追加の固定寸法の収容空間を要しないので、空間全体をより効率的に利用できる。
【００２３】
当業者であれば、実施形態の傾斜ガイド部のタイプは例示であり、本発明を限定することを意図したものではないことを理解するであろう。本発明のガイド部付きコネクタの真髄及び範囲から逸脱することなくなされるいかなる工夫も、本発明の技術的範囲内である。
【００２４】
要約すると、本発明に係るガイド部付きコネクタは、以下の利点を有する。
（１）ガイド部付きコネクタを有する電子デバイスは、追加の固定寸法の収容空間を要することなく嵌合が完了できるので、空間の利用効率が著しく増大する。
（２）ガイド部付きコネクタの設計は簡素であるので、追加のアダプタを要しない。
【００２５】
前述の実施形態及び添付図面は例示であり、本発明の範囲を限定することを意図したものではない。本発明の真髄及び範囲から逸脱することなくなされる、同等の効果を有するいかなる変更も、特許請求の範囲の技術的範囲内である。
【符号の説明】
【００２６】
３      ガイド部付きコネクタ
７      電子デバイス
７１    ハードディスクドライブ
３０    ハウジング
３１    ガイドポスト
３１１  傾斜ガイド部
３２    接続インタフェース
３２１  導電端子
３２２  ポート
３２３  斜めの下壁
５０    相手コネクタ
【図１】
2013222708.tif 000003
【図２】
2013222708.tif 000004
【図３】
2013222708.tif 000005
【図４】
2013222708.tif 000006
【図５】
2013222708.tif 000007
【図６】
2013222708.tif 000008
【図７】
2013222708.tif 000009